(57)【要約】【課題】ウォーム伝動装置を用いてもその収納ケースの構造が複雑にならず、収納ケース内での動力伝達がスムーズに行えるセグメントの継手構造を提供する。【解決手段】セグメント形成時に収納ケース７のみを取り付け、形成後に、セグメント２の接合面２ａに開口した収納部７ａを利用して、ウォーム伝動装置６や接合用ボルト４を収納ケース７内に取り付ける。そして、セグメント形成時に、打設コンクリートの入り込み等を気にする必要をなくし、ウォーム伝動装置６を収納する収納ケース７の構造を複雑にする必要をなくす。また、セグメント形成後にウォーム伝動装置６および接合用ボルト４を取り付けることで、セグメント２内に組み込んだ後に収納ケース７内での動力伝達がスムーズに行えなくなるようなことを少なくする。【選択図】      図１
2004293172.tif 000002
【特許請求の範囲】
【請求項１】
接合すべき一方のセグメントに設けた雄継手の接合用ボルトの係止部を、接合すべき他方のセグメントに設けた雌継手に係止すると共に、前記接合用ボルトをウォーム伝動装置で移動させることにより、前記両セグメントを引き寄せ互いの接合面を当面させて接合する継手構造であり、
前記雄継手は、前記接合用ボルトのネジ部がウォームホイールにその回転軸として螺合している前記ウォーム伝動装置と、前記セグメントの接合面に開口を有する収納部が形成された収納ケースとを備えており、
前記接合用ボルトは、その係止部と前記ウォームホイールに螺合しているネジ部との間に前蓋部を設けていると共に、前記収納ケースの収納部は、そのセグメントの接合面側に前記前蓋部を螺合して前記開口を塞ぐことができるように構成しており、
前記前蓋部を前記収納ケースの収納部に螺合した時に、前記ウォーム伝動装置が収納部内に納まると共に、前記接合用ボルトが前蓋部を貫通してその係止部が収納部外となるように構成していることを特徴とするセグメントの継手構造。
【請求項２】
前記ウォームホイールに噛み合わせるウォームを挿入するために、前記収納ケースに形成されている挿入孔には、そのウォーム挿入側に止水用栓を螺合できるように構成していることを特徴とする請求項１記載のセグメントの継手構造。
【請求項３】
前記止水用栓が螺合するネジ部の形成部分である前記挿入孔の内周面は、前記ウォームの外周径よりも大きな径で形成していることを特徴とする請求項２記載のセグメントの継手構造。
【請求項４】
前記ウォームの前記挿入孔への挿入端にはウォーム回転軸のぶれを阻止する軸固定用凸部を形成していると共に、前記挿入孔の底部には前記ウォームの軸固定用凸部が係合する軸固定用凹部を形成していることを特徴とする請求項１または請求項２記載のセグメントの継手構造。
【請求項５】
前記ウォームの挿入端に形成した軸固定用凸部は半球形状にしていることを特徴とする請求項４記載のセグメントの継手構造。
【請求項６】
前記ウォームホイールの側面には回転軸となる前記接合用ボルトの近接部分に突出部分を形成していると共に、このウォームホイールはその突出部分が前記収納ケースまたは前記前蓋部に当面するようにして設けていることを特徴とする請求項１記載のセグメントの継手構造。
【請求項７】
前記雄継手の接合用ボルトの係止部と前記雌継手との係止は、前記セグメントのスライドによって接合用ボルトの係止部を雌継手に挿入することで行えるように構成していると共に、前記雌継手の前記係止部の挿入側は、挿入を容易にするテーパーを形成してあることを特徴とする請求項１記載のセグメントの継手構造。
【請求項８】
前記雄継手の接合用ボルトの係止部と前記雌継手との係止は、前記セグメントのスライドによって接合用ボルトの係止部を雌継手に挿入することで行えるように構成していると共に、前記接合用ボルトの係止部は、雌継手側の面を曲面で形成したボルト頭で構成していることを特徴とする請求項１記載のセグメントの継手構造。
【請求項９】
前記雄継手の接合用ボルトには、その係止部とは反対側である前記ウォームホイールに螺合しているネジ部の先端部に供回り防止用ナットを設けていると共に、前記収納ケースには、その収納部の底部に前記供回り防止用ナットを収納できる供回り防止用ナット収納部を形成しており、
前記ウォーム伝動装置が前記収納部内に納まると共に、前記接合用ボルトが前記前蓋部を貫通してその係止部が前記収納部外となる時に、前記供回り防止用ナットが前記供回り防止用ナット収納部の内部に入り込んで、前記接合用ボルトの前記ウォームホイールとの供回りを防止できるように構成していることを特徴とする請求項１記載のセグメントの継手構造。
【請求項１０】
前記収納ケースは、前記セグメントの接合面とは反対側に、定着部を一体に形成していることを特徴とする請求項１記載のセグメントの継手構造。
【発明の詳細な説明】
【０００１】
【発明の属する技術分野】
この発明は、セグメントの内面を平滑にすると共に、セグメントの組立後に増締めを行えるようにするために、ウォーム伝動装置を用いて接合できるようにしたセグメントの継手構造に関するものである。
【０００２】
【従来の技術】
ウォーム伝動装置を用いて両セグメントを接合するものとしては、例えば、特許文献１の「セグメントの継手装置」、特許文献２の「セグメントの継手構造」、特許文献３の「セグメントの継手装置」が知られている。
【０００３】
なお、特許文献１の継手装置は、セグメントのスライドで両セグメントに設けた雄継手（接合用ボルト）および雌継手を互いに係止させた後、ウォーム伝動装置の利用で両セグメントを引き寄せ互いの接合面を当面させて接合するものである。
【０００４】
また、特許文献２の継手構造および特許文献３の継手装置は、ウォーム伝動装置の利用で、両セグメントの雄継手（接合用ボルト）および雌継手の係合と両セグメントを引き寄せとを行うものである。
【０００５】
【特許文献１】
特開２００１−３２３７８８号公報
【特許文献２】
特開２０００−３２８８９２号公報
【特許文献３】
特開２００２−８９１９２号公報
【０００６】
【発明が解決しようとする課題】
セグメントの接合に用いるウォーム伝動装置は、ウォームをセグメントの内面から挿入してウォームホイールを回転させ、ウォームホイールの回転軸として設けた接合用ボルトを移動させるものである。
【０００７】
そのため、このウォーム伝動装置を用いる、前述した従来の継手装置および継手構造では、ウォーム伝動装置を収納するケースが複雑な構造になってしまう傾向にある。
【０００８】
即ち、ウォーム伝動装置の収納ケースは、ウォームおよびウォームホイールや接合用ボルトなどを組み込んで収納できるようにすると共に、ウォームとウォームホイールとの噛み合い部分に打設コンクリートが入り込まないようにする等から、複雑な構造になってしまう。
【０００９】
また、このウォーム伝動装置が組み込まれて複雑な構造になった収納ケースを型枠内にセットする作業も、打設コンクリートが入り込まないようにする等、面倒なものとなる。
【００１０】
さらに、このウォーム伝動装置が組み込まれて複雑な構造になった収納ケースでは、セグメントの内部に設けた後、セグメントの内面より挿入したウォームからのウォームホイールおよび接合用ボルトへの動力伝達がスムーズに行えなくなってしまう問題点もあった。
【００１１】
この発明は前述した事情に鑑みて創案されたもので、その目的はウォーム伝動装置を用いても、その収納ケースの構造が複雑にならないと共に、収納ケース内において動力伝達がスムーズに行えるセグメントの継手構造を提供することにある。
【００１２】
【課題を解決するための手段】
この発明での継手構造は、接合すべき一方のセグメントに設けた雄継手の接合用ボルトの係止部を、接合すべき他方のセグメントに設けた雌継手に係止すると共に、接合用ボルトをウォーム伝動装置で移動させることにより、両セグメントを引き寄せ互いの接合面を当面させて接合するものとする。
【００１３】
この継手構造の雄継手は、接合用ボルトのネジ部がウォームホイールにその回転軸として螺合している前記ウォーム伝動装置と、セグメントの接合面に開口する収納部が形成された収納ケースとを備えている。
【００１４】
また、この継手構造の接合用ボルトは、その係止部とウォームホイールに螺合しているネジ部との間に前蓋部を設けている。しかも、この前蓋部は、収納部におけるセグメントの接合面側に螺合して、収納ケースの収納部の開口を塞ぐことができるように構成している。
【００１５】
そして、この発明での継手構造は、前蓋部を収納ケースの収納部に螺合した時に、ウォーム伝動装置が収納部内に納まると共に、接合用ボルトが前蓋部を貫通してその係止部が収納部外となるように構成している。
【００１６】
このようなこの発明（請求項１の発明）の継手構造によれば、収納ケースの収納部がセグメントの接合面に開口していると共に、その開口を前蓋部で塞ぐことにより、ウォーム伝動装置が収納部内に収まり、接合用ボルトが前蓋部を貫通してその係止部が収納部外となる。
【００１７】
このことは、「収納部の前蓋部が螺合する部分を利用してセグメント形成用の型枠に収納ケースを取り付けると共に、型枠内にコンクリートを打設してセグメントを形成し、その後、型枠を取り外して、セグメントの接合面に開口した収納ケースの収納部に前蓋部を螺合することで、ウォーム伝動装置および接合用ボルトを取り付ける。」ということができるようになる。
【００１８】
即ち、「セグメントの形成時には収納ケースのみを取り付け、セグメント形成後に、セグメントの接合面に開口した収納部を利用して、ウォーム伝動装置および接合用ボルトを収納ケースに取り付ける。」ということが行える。
【００１９】
従って、セグメント形成時において、打設コンクリートの入り込み等を気にする必要がないので、収納ケースの構造を複雑にする必要がなくなる。
【００２０】
また、セグメント形成後に、ウォーム伝動装置および接合用ボルトを取り付けるので、セグメント内に組み込んだ後に収納ケース内での動力伝達がスムーズに行えなくなるようなことを少なくできる。
【００２１】
【発明の実施の形態】
以下、この発明のセグメントの継手構造を図示する一実施形態によって説明する。
【００２２】
継手構造１（請求項１の発明）は、図１および図２に示すように、接合すべき一方のセグメント２に設けた雄継手３の接合用ボルト４の係止部４ａを、接合すべき他方のセグメント２に設けた雌継手５に係止すると共に、接合用ボルト４をウォーム伝動装置６で移動させることにより、両セグメント２を引き寄せ互いの接合面２ａを当面させて両セグメント２を接合している。
【００２３】
また、雄継手３は、接合用ボルト４のネジ部４ｂがウォームホイール６ａにその回転軸として螺合しているウォーム伝動装置６と、セグメント２の接合面２ａに開口する収納部７ａが形成された収納ケース７とを備えている。
【００２４】
さらに、接合用ボルト４は、その係止部４ａと、ウォームホイール６ａに螺合しているネジ部４ｂとの間に前蓋部８を設けている。また、収納ケース７の収納部７ａは、そのセグメント２の接合面２ａ側に前蓋部８を螺合して開口を塞ぐことができるように構成している。
【００２５】
そして、この継手構造１は、前蓋部８を収納ケース７の収納部７ａに螺合した時に、ウォーム伝動装置６が収納部７ａ内に納まると共に、接合用ボルト４が前蓋部８を貫通してその係止部４ａが収納部７ａ外となるように構成している。
【００２６】
なお、図６に、この発明の継手構造１としたセグメント２を示す。また、図５に、セグメント２の桁高が高い場合の構造例を示している。
【００２７】
この実施形態での収納ケース７には、ウォームホイール６ａに噛み合わせるウォーム６ｂを挿入するための挿入孔７ｂ（図３参照）が形成されている。そして、この挿入孔７ｂは、そのウォーム６ｂの挿入側に、止水用栓９を螺合できるように構成している（請求項２の発明）。
【００２８】
この実施形態での収納ケース７の挿入孔７ｂは、図３に示すように、止水用栓９が螺合するネジ部７ｃの形成部分である内周面を、ウォーム６ｂの外周径よりも大きな径で形成している（請求項３の発明）。
【００２９】
この実施形態でのウォーム６ｂは、図３に示すように、その挿入孔７ｂへの挿入端に軸固定用凸部６ｃを形成している。また、この実施形態での挿入孔７ｂの底部には、図３に示すように、ウォームウォーム６ｂの軸固定用凸部６ｃが係合する軸固定用凹部７ｄを形成している（請求項４の発明）。
【００３０】
この実施形態でのウォーム６ｂの挿入端に形成した軸固定用凸部６ｃは、図３に示すように、半球形状にしている（請求項５の発明）。
【００３１】
この実施形態でのウォームホイール６ａは、図２に示すように、その側面に、回転軸となる接合用ボルト４の近接部分に突出部分６ｄを形成している。しかも、この実施形態でのウォームホイール６ａは、図１に示すように、その突出部分６ｄが収納ケース７または前蓋部８に当面するようにして設けている（請求項６の発明）。
【００３２】
この実施形態において、雄継手３の接合用ボルト４の係止部４ａと雌継手５との係止は、図６に示すように、セグメント２のスライドによって接合用ボルト４の係止部４ａを雌継手５に挿入することで行えるように構成している。しかも、雌継手５の係止部４ａの挿入側は、図４に示すように、挿入を容易にするテーパー５ａを形成してある（請求項７の発明）。
【００３３】
この実施形態での接合用ボルト４の係止部４ａは、図４に示すように、雌継手５側の面を曲面で形成したボルト頭で構成している（請求項８の発明）。なお、この接合用ボルト４の係止部４ａは、この実施形態のように曲面で形成したボルト頭に限らず、一般的な六角形状のボルト頭（図示せず）で構成してよい。
【００３４】
この実施形態での接合用ボルト４には、図１および図２に示すように、係止部４ａとは反対側であるウォームホイール６ａに螺合しているネジ部４ｂの先端部に供回り防止用ナット１２を設けていると共に、収納ケース７には、その収納部７ａの底部に供回り防止用ナット１２を収納できる供回り防止用ナット収納部１３を形成している。
【００３５】
そして、ウォーム伝動装置６が収納部７ａ内に納まると共に、接合用ボルト４が前蓋部８を貫通してその係止部４ａが収納部７ａ外となる時に、供回り防止用ナット１２が供回り防止用ナット収納部１３の内部に入り込んで、接合用ボルト４のウォームホイール６ａとの供回りを防止できるように構成している（請求項９の発明）。
【００３６】
この実施形態での収納ケース７は、図１および図２に示すように、セグメント２の接合面２ａとは反対側に、定着部１０を一体に形成している（請求項１０の発明）。
【００３７】
このような構成からなる、この発明（請求項１の発明）の継手構造１によれば、収納ケース７の収納部７ａがセグメント２の接合面２ａに開口していると共に、その開口を前蓋部８で塞ぐことにより、ウォーム伝動装置６が収納部７ａ内に収まり、接合用ボルト４が前蓋部８を貫通してその係止部４ａが収納部７ａ外となる。
【００３８】
このことは、「収納部７ａの前蓋部８が螺合する部分を利用して、セグメント形成用の型枠１１（図２参照）に収納ケース７を取り付けると共に、型枠１１内にコンクリートを打設してセグメントを形成し、その後、型枠１１を取り外して、セグメント２の接合面２ａに開口した収納ケース７の収納部７ａに前蓋部を螺合することで、ウォーム伝動装置６および接合用ボルト４を取り付ける。」ということができるようになる。
【００３９】
即ち、「セグメント２の形成時には収納ケース７のみを取り付け、セグメント形成後に、セグメント２の接合面２ａに開口した収納部７ａを利用して、ウォーム伝動装置６および接合用ボルト４を収納ケース７に取り付ける。」ということが行える。
【００４０】
従って、セグメント形成時において、打設コンクリートの入り込み等を気にする必要がないので、収納ケース７の構造を複雑にする必要がなくなる。
【００４１】
また、セグメント形成後に、ウォーム伝動装置６および接合用ボルト４を取り付けるので、セグメント２内に組み込んだ後に収納ケース７内での動力伝達がスムーズに行えなくなるようなことを少なくできる。
【００４２】
なお、これらのことの他に、請求項２の発明の構成によれば、止水用栓９によって、収納ケース７に形成されている挿入孔７ｂを確実に塞ぐことができる。
【００４３】
従って、セグメント２の組み立て時に、ウォームホイール６ａを回動させるべく必要なウォーム６ｂの挿入孔７ｂを、セグメント２の組み立て後に、確実に塞ぐことができる。
【００４４】
このことは、セグメント２の組み立て後の止水を確実に行えるようになり、ウォーム伝動装置６内への浸水を確実に阻止して、ウォーム伝動装置６を用いた継手能力を確実に保持することができる。
【００４５】
請求項３の発明の構成によれば、止水用栓９が螺合するネジ部７ｃの形成部分である内周面を、ウォーム６ｂの外周径よりも大きな径で形成したことにより、収納ケース７の挿入孔７ｂに挿入したウォーム６ｂの外周面が、挿入孔７ｂのネジ部７ｃに接触することを防止できる。
【００４６】
このことは、ウォーム６ｂの回転をスムーズなものにすることができて、ウォームホイール６ａへの動力伝達がスムーズに行えるようになる。
【００４７】
請求項４の発明の構成によれば、ウォーム６ｂに形成した軸固定用凸部６ｃと、この軸固定用凸部６ｃが係合するように挿入孔７ｂの底部に形成した軸固定用凹部７ｄとにより、ウォーム回転軸のぶれを阻止することができる。
【００４８】
このことからも、ウォーム６ｂの回転をスムーズなものにすることができて、ウォームホイール６ａへの動力伝達がスムーズに行えるようになる。
【００４９】
請求項５の発明の構成によれば、ウォーム６ｂの軸固定用凸部６ｃを半球形状としたことにより、ウォーム６ｂの回転をよりスムーズなものにすることができて、ウォームホイール６ａへの動力伝達がスムーズに行えるようになる。
【００５０】
請求項６の発明の構成によれば、接合用ボルト４（回転軸）の近接部分である側面に形成した突出部分６ｄが、収納ケース７または前蓋部８に当面するようにして、ウォームホイール６ａを収納ケース７の内部に設けている。
【００５１】
このことは、ウォームホイール６ａにおける歯の部分が収納ケース７または前蓋部８に当面することを阻止し、ウォームホイール６ａの回転をスムーズなものにすることができて、ウォーム６ｂからの動力伝達がスムーズに行えるようになる。
【００５２】
請求項７の発明の構成によれば、セグメント２のスライドによって接合用ボルト４の係止部４ａを雌継手５に挿入することにより、雄継手３の接合用ボルト４の係止部４ａと雌継手５との係止か行える。しかも、雌継手５の係止部４ａの挿入側にはテーパー５ａを形成している。
【００５３】
このことは、セグメント２をスライドするだけで、セグメント２の組み立てを極めて容易に行うことができる。
【００５４】
請求項８の発明の構成によれば、接合用ボルト４の係止部４ａを、雌継手５側の面を曲面で形成したボルト頭で構成したことにより、係止部４ａの雌継手５への挿入が容易になると共に、雌継手５への挿入時に接合用ボルト４の軸線と接合軸とがずれていても対処することができる。
【００５５】
請求項９の発明の構成によれば、接合用ボルト４に固定（溶接）した供回り防止用ナット１２が、収納ケース７の収納部７ａの底部に形成した供回り防止用ナット収納部１３の内部に入り込むようにしたことにより、供回り防止用ナット１２（接合用ボルト４）の回転を防止できる。
【００５６】
このことから、ウォームホイール６ａが回転しても、接合用ボルト４は、回転せずに軸方向へ引き込むことができる。
【００５７】
なお、供回り防止用ナット収納部１３は、供回り防止用ナット１２との間隙が小さく、供回り防止用ナット１２の回転を止めることのできる形状とする。
【００５８】
請求項１０の発明の構成によれば、収納ケース７における、セグメント２の接合面２ａとは反対側に、定着部１０を一体に形成している（例えば、鋳造などで一体に形成している）ことにより、収納ケース７をより簡単な構造にできると共に、収納ケース７をセグメント２に強固に設けることができる。
【００５９】
この収納ケース７に定着部１０を一体に形成することは、「セグメント２の形成時に収納ケース７のみを取り付け、セグメント形成後に、セグメント２の接合面２ａに開口した収納部７ａを利用して、ウォーム伝動装置６および接合用ボルト４を収納ケース７に取り付ける。」という請求項１の発明の構成にしていることで、行えることである。
【００６０】
これらのことから、この発明によれば、セグメント２の内面を平滑にすると共に、セグメント２の組立後に増締めを行えるようにするために、ウォーム伝動装置６を用いて接合できるようにしても、その収納ケース７の構造が複雑にならないと共に、収納ケース７内において動力伝達がスムーズに行えて、セグメント２の接合を容易かつ確実に行える継手構造１を提供できる。
【００６１】
【発明の効果】
この発明のセグメントの継手構造によれば、セグメントの形成時に収納ケースのみを取り付け、セグメント形成後に、セグメントの接合面に開口した収納部を利用して、ウォーム伝動装置および接合用ボルトを収納ケースに取り付けることができる。
【００６２】
そのため、セグメント形成時において、打設コンクリートの入り込み等を気にする必要がないので、ウォーム伝動装置を収納する収納ケースの構造を複雑にする必要がなくなる。
【００６３】
また、セグメント形成後に、ウォーム伝動装置および接合用ボルトを取り付けるので、セグメント内に組み込んだ後に収納ケース内での動力伝達がスムーズに行えなくなるようなことを少なくできる。
【図面の簡単な説明】
【図１】この発明のセグメントの継手構造を示す概略断面図である。
【図２】この発明の継手構造で用いる雄継手とすべくウォーム伝動装置および接合用ボルトの収納ケースへの取り付け状態を示す概略断面図である。
【図３】この発明の継手構造で用いるウォーム伝動装置および収納ケースを示す概略断面図である。
【図４】（ａ）はこの発明の継手構造で用いる雌継手を示す図６のＢ−Ｂ線拡大矢視図で、（ｂ）は（ａ）のＡ−Ａ線矢視図である。
【図５】この発明の継手構造を桁高が高いセグメントに用いた状態を示す概略断面図である。
【図６】この発明の継手構造を用いたセグメントを示す概略斜視図である。
【符号の説明】
１…継手構造１、２…セグメント、２ａ…接合面、３…雄継手、４…接合用ボルト、４ａ…係止部、４ｂ…ネジ部、５…雌継手、５ａ…テーパー、６…ウォーム伝動装置、６ａ…ウォームホイール、６ｂ…ウォーム、６ｃ…軸固定用凸部、６ｄ…突出部分、７…収納ケース、７ａ…収納部、７ｂ…挿入孔、７ｃ…ネジ部、７ｄ…軸固定用凹部、８…前蓋部、９…止水用栓、１０…定着部、１１…型枠、１２…供回り防止用ナット、１３…供回り防止用ナット収納部。
【図１】
2004293172.tif 000003
【図２】
2004293172.tif 000004
【図３】
2004293172.tif 000005
【図４】
2004293172.tif 000006
【図５】
2004293172.tif 000007
【図６】
2004293172.tif 000008